(57)【特許請求の範囲】
【請求項１】
計時の基準となる時計信号及び時間計測の基準となるクロノグラフ信号を出力する信号発生手段と、竜頭と、少なくとも時間計測動作のスタート操作及びリセット操作を行う操作手段と、前記時計信号に基づいて時刻の計時動作を行い、計時した時刻を表示するように時刻針を電気的に駆動する時刻針駆動手段と、前記操作手段のスタート操作に応答して前記クロノグラフ信号に基づいて時間計測動作を行い、計測時間を表示するようにクロノグラフ針を電気的に駆動すると共に前記操作手段のリセット操作に応答して時間計測動作をリセットするクロノグラフ針駆動手段とを有し、前記操作手段のリセット操作に応答して前記クロノグラフ針を機械的に帰零するクロノグラフ時計において、
前記竜頭のリセット操作に応答して前記時刻針駆動手段の各回路の部分システムリセットを行うと共に、前記操作手段のリセット操作に応答して前記クロノグラフ針駆動手段の各回路の部分システムリセットを行う制御手段を備えて成ることを特徴とするクロノグラフ時計。
【請求項２】
計時の基準となる時計信号及び時間計測の基準となるクロノグラフ信号を出力する信号発生手段と、竜頭と、少なくとも時間計測動作のスタート操作及びリセット操作を行う操作手段と、前記時計信号に基づいて時刻の計時動作を行い、計時した時刻を表示するように時刻針を電気的に駆動する時刻針駆動手段と、前記操作手段のスタート操作に応答して前記クロノグラフ信号に基づいて時間計測動作を行い、計測時間を表示するようにクロノグラフ針を電気的に駆動すると共に前記操作手段のリセット操作に応答して時間計測動作をリセットするクロノグラフ針駆動手段とを有し、前記操作手段のリセット操作に応答して前記クロノグラフ針を機械的に帰零するクロノグラフ時計において、
前記竜頭のリセット操作に応答して前記時刻針駆動手段をリセットすると共に、前記操作手段のリセット操作に応答して前記クロノグラフ針駆動手段をリセットする制御手段を備えて成り、
前記信号発生手段は、所定周波数の信号を発生する発振回路と、前記発振回路からの信号を分周して前記クロノグラフ信号を出力する第１分周段部と前記発振回路からの信号を分周して前記時計信号を出力する第２分周段部とを有する分周回路とを備えて成り、
前記制御手段は、前記竜頭のリセット操作に応答して前記時刻針駆動手段をリセットすると共に前記第２分周段部をリセットすることを特徴とするクロノグラフ時計。
【請求項３】
前記第１分周段部と第２分周段部はカスケード接続されて成り、前記第１分周段部は前記第２分周段部よりも高周波の信号を出力することを特徴とする請求項２記載のクロノグラフ時計。
【請求項４】
クロノグラフ時計全体のシステムリセットを行うためのシステムリセット端子を有し、前記制御手段は、前記システムリセット端子に所定の信号が供給されたときにシステムリセットを行うことを特徴とする請求項１乃至３のいずれか一に記載のクロノグラフ時計。
【発明の詳細な説明】
【技術分野】
【０００１】
本発明は、時刻表示機能及び時間計測機能を有するクロノグラフ時計に関する。
【背景技術】
【０００２】
従来から、時刻の表示機能及び時間計測機能を有し、計測時間を表示するクロノグラフ針の駆動はモータによって電気的に行い、前記クロノグラフ針の帰零動作は機械的機構を用いて機械的に行うようにしたクロノグラフ時計が開発されている。
前記従来のクロノグラフ時計においては、電源として使用している電池の交換後や、静電気等により集積回路（ＩＣ）の誤動作が発生した場合等に、クロノグラフ時計を初期状態に戻して正常状態に復帰させるためのシステムリセットが行われる。
【０００３】
システムリセットは、クロノグラフ時計の裏蓋を開けてシステムリセット端子を所定電圧にすることによってシステムリセットを行ったり、クロノグラフ時計が備えている複数の操作ボタンの組合せ操作によってシステムリセットを行うようにしているので、システムリセット操作が困難であったり煩雑になる（例えば特許文献１参照）。したがって、クロノグラフ時計は一般ユーザにとって、システムリセットを行って正常状態に復帰させる作業が困難又は煩雑という問題がある。
【先行技術文献】
【特許文献】
【０００４】
【特許文献１】特開２００８−２４１３２９号公報
【発明の概要】
【発明が解決しようとする課題】
【０００５】
本発明は、前記問題点に鑑み成されたもので、ユーザにとって解りやすい操作でシステムリセットできるようにすることを課題としている。
【課題を解決するための手段】
【０００６】
本発明によれば、計時の基準となる時計信号及び時間計測の基準となるクロノグラフ信号を出力する信号発生手段と、竜頭と、少なくとも時間計測動作のスタート操作及びリセット操作を行う操作手段と、前記時計信号に基づいて時刻の計時動作を行い、計時した時刻を表示するように時刻針を電気的に駆動する時刻針駆動手段と、前記操作手段のスタート操作に応答して前記クロノグラフ信号に基づいて時間計測動作を行い、計測時間を表示するようにクロノグラフ針を電気的に駆動すると共に前記操作手段のリセット操作に応答して時間計測動作をリセットするクロノグラフ針駆動手段とを有し、前記操作手段のリセット操作に応答して前記クロノグラフ針を機械的に帰零するクロノグラフ時計において、前記竜頭のリセット操作に応答して前記時刻針駆動手段をリセットすると共に、前記操作手段のリセット操作に応答して前記クロノグラフ針駆動手段をリセットする制御手段を備えて成ることを特徴とするクロノグラフ時計が提供される。
【発明の効果】
【０００７】
本発明に係るクロノグラフ時計によれば、クロノグラフ針が機械的に帰零され電気的に駆動されるクロノグラフ時計において、クロノグラフ時計における一般的な操作で電気的なリセットを行うことが可能であるため、ユーザにとって解りやすい操作でシステムリセットすることができ、容易に正常動作に復帰させることが可能になる。
【図面の簡単な説明】
【０００８】
【図１】本発明の実施の形態に係るクロノグラフ時計のブロック図である。
【図２】本発明の実施の形態に係るクロノグラフ時計の部分詳細回路図である。
【図３】本発明の実施の形態に係るクロノグラフ時計のフローチャートである。
【発明を実施するための形態】
【０００９】
図１は、本発明の実施の形態に係るクロノグラフ時計のブロック図である。本実施の形態に係るクロノグラフ時計は、クロノグラフ針が機械的に帰零され電気的に駆動される形式のクロノグラフ時計である。
図１において、クロノグラフ時計は、所定周波数の信号を発生する発振回路１０１、複数の分周段を有し発振回路１０１で発生した信号を分周して計時動作の基準となる時計信号を制御回路１０４に出力すると共に時間計測（クロノグラフ）動作の基準となるクロノグラフ信号をクロノカウンタ回路１０３に出力する分周回路１０２、前記クロノグラフ信号を計数して時間計測動作を行うクロノカウンタ回路１０３、前記時計信号に基づく計時機能やクロノグラフ時計を構成する各電子回路要素の制御あるいは駆動パルスによる駆動制御等の各種制御を行う制御回路１０４を備えている。
【００１０】
また、クロノグラフ時計は、制御回路１０４からの時刻制御信号に応答してアナログ表示部１１１の時刻針を駆動するための時刻モータ駆動パルスを発生する時刻モータ駆動パルス発生回路１０５、時刻モータ駆動パルス発生回路１０５からの時刻モータ駆動パルスに応答して時刻針駆動用の時刻モータ１０７を駆動する時刻モータドライバ回路１０６及び時刻モータ１０７を備えている。
【００１１】
また、クロノグラフ時計は、制御回路１０４からのクロノ制御信号に応答してアナログ表示部１１１のクロノグラフ針を駆動するためのクロノモータ駆動パルスを発生するクロノモータ駆動パルス発生回路１０８、クロノモータ駆動パルス発生回路１０８からのクロノモータ駆動パルスに応答してクロノグラフ針駆動用のクロノモータ１１０を駆動するクロノモータドライバ回路１０９及びクロノモータ１１０を備えている。
また、クロノグラフ時計は、計時した時刻及び計測した計測時間をアナログ表示するためのアナログ表示部１１１を備えており、アナログ表示部１１１は現在時刻をアナログ表示するための時刻針及び計測時間をアナログ表示するためのクロノグラフ針を備えている。
【００１２】
制御回路１０４には、時間計測動作のスタート及びストップを指示するスタート／ストップボタンＳＴＢ、時間計測動作をリセットするリセットボタンＲＢ、時刻合わせや後述するリセット動作等を行う竜頭ＲＺ及びクロノグラフ時計全体のシステムリセットを行うためのシステムリセット端子ＳＲが接続されている。
時間計測動作を行っていない状態でスタート／ストップボタンＳＴＢを操作するとスタート操作となり、時間計測動作を行っている状態でスタート／ストップボタンＳＴＢを操作するとストップ操作となる。また、リセットボタンＲＢを操作するとリセット操作となる。
【００１３】
制御回路１０４は、その内部に、クロノグラフ時計を構成する全回路のリセット（システムリセット）、時刻を計時してアナログ表示部１１１の時刻針（例えば時針、分針、秒針）を駆動するための各回路（時刻針駆動手段）のみのシステムリセット（部分システムリセット）又は、時間計測動作を行ってアナログ表示部１１１のクロノグラフ針（例えばクロノグラフ時針、クロノグラフ分針、クロノグラフ秒針）を駆動するための各回路（クロノグラフ針駆動手段）のシステムリセット（部分システムリセット）を行うシステムリセット回路１１２を有している。
【００１４】
制御回路１０４は、スタート／ストップボタンＳＴＢのスタート操作に応答して時間計測動作を開始して計測時間をアナログ表示部１１０に表示するように各電子回路要素を制御し、スタート／ストップボタンＳＴＢのストップ操作に応答して時間計測動作を停止するように各電子回路要素を制御し又、リセットボタンＲＢのリセット操作に応答して制御回路１０４が有する時間計測用カウンタ（図示せず）のリセット動作やクロノモータ１１０の駆動停止による時間計測動作の停止を行うように各電子回路要素を制御する機能を有している。また、制御回路１０４は、竜頭ＲＺのリセット操作に応答して、制御回路１０４が有する計時用カウンタ（図示せず）のリセットも行う機能も有している。
【００１５】
また、制御回路１０４は、分周回路１０２からの時計信号に基づく計時動作を行って所定の時刻モータ駆動周期で前記時刻制御信号を出力する機能、クロノカウンタ回路１０３が所定時間（クロノモータ１１０の駆動周期）計測する毎にクロノモータ駆動パルス発生回路１０８にクロノモータ１１０を駆動するためのクロノ制御信号を出力する機能を備えている。
【００１６】
時刻モータ１０７及びクロノモータ１１０は一般的な電子時計に使用されているステッピングモータであり、ロータ収容用貫通孔を有するステータ、ロータ収容用貫通孔に回転可能に配設されたロータ、ステータと接合された磁心に巻回された駆動コイルを備え、駆動コイルの第１端子、第２端子に交互に極性の異なる駆動パルスを供給することによって所定角度ずつ回転駆動する形式のステッピングモータである。
【００１７】
ここで、発振回路１０１及び分周回路１０２は信号発生手段を構成している。スタート／ストップボタンＳＴＢ及びリセットボタンＲＢは操作手段を構成している。制御回路１０４の計時用カウンタ、時刻モータ駆動パルス発生回路１０５、時刻モータドライバ回路１０６及び時刻モータ１０７は時刻針駆動手段を構成している。クロノカウンタ１０３、制御回路１０４の時間計測用カウンタ、クロノモータ駆動パルス発生回路１０８、クロノモータドライバ回路１０９及びクロノモータ１１０はクロノグラフ針駆動手段を構成している。制御回路１０４の計時用カウンタ及び時間計測用カウンタを除いた部分は制御手段を構成している。制御回路１０４の計時用カウンタは計時手段を構成し、クロノカウンタ回路１０３及び制御回路１０４の時間計測用カウンタは時間計測手段を構成している。また、システムリセット回路１１２はリセット手段を構成している。
尚、本実施の形態に係るクロノグラフ時計は前述したように、リセットボタンＲＢのリセット操作に応答してクロノグラフ針が機械的に帰零されて規正され、スタート／ストップボタンＳＴＢのスタート操作に応答して電気的に駆動される形式のクロノグラフ時計であり、機械的機構は公知であるためその詳細説明は省略する。
【００１８】
図２は、本実施の形態に使用する分周回路１０２の詳細回路図で、図１と同一部分には同一符号を付している。
図２において、分周回路１０２は複数のフリップフロップ（Ｆ／Ｆ）を多段接続した公知構成の分周回路で、各フリップフロップが１段の分周段を構成している。分周回路１０２は、複数の分周段を有しクロノグラフ信号を発生するための第１分周段部２０１と、複数の分周段を有しクロノグラフ信号よりも低周波の時計信号を発生する第２分周段部２０２とをカスケード接続した構成である。第１分周段部２０１は第２分周段部２０２よりも高周波の信号を発生する分周段部である。第２分周段部２０２の各フリップフロップのリセット端子Ｒにはシステムリセット回路１１２が接続されており、システムリセット回路１１２からリセット信号を供給して第２分周段部２０２をリセットできるように構成されている。
【００１９】
発振回路１０１が発生する３２ｋＨｚの信号は、各フリップフロップによって順次１／２の周波数に分周され、第１分周段部２０１の最終段からは２５６Ｈｚのクロノグラフ信号がクロノカウンタ回路１０３に出力され、分周回路１０２の最終段である第２分周段部２０２の最終段からは１Ｈｚの時計信号が制御回路１０４に出力される。
図３は、本発明の実施の形態に係るクロノグラフ時計のフローチャートで、主として制御回路１０４の処理を示すフローチャートである。
以下、図１〜図３に沿って、本実施の形態に係るクロノグラフ時計の動作を説明する。
【００２０】
図１において、発振回路１０１は所定周波数の信号を発生する。分周回路１０２は、発振回路１０１で発生した前記信号を分周して、計時の基準となる時計信号を第２分周段部２０２から制御回路１０４に出力すると共に、時間計測の基準となるクロノグラフ信号を第１分周段部２０１からクロノカウンタ回路１０３に出力する。
制御回路１０４は、計時カウンタによって前記時計信号を計数して計時動作を行い、時刻制御信号を出力して、アナログ表示部１１１の時刻針を運針駆動するように時刻モータ駆動パルス発生回路１０５を制御する。時刻モータ駆動パルス発生回路１０５は前記時刻制御信号に応答して時刻モータドライバ回路１０６を介して時刻モータ１０７を回転駆動し、時刻モータ１０７はアナログ表示部１１０の時刻針を運針駆動して現在時刻を随時表示する。
【００２１】
クロノグラフ時計の時間計測動作をスタートさせる場合には、時間計測動作がストップ状態にあるときに、スタート／ストップボタンＳＴＢを操作することによってスタート操作を行う。
制御回路１０４はスタート／ストップボタンＳＴＢが操作されたと判定すると（ステップＳ３０１）、クロノグラフ時計のそのときの状態が時間計測状態（クロノスタート状態）にない場合には（ステップＳ３０４）、時間計測動作を開始（クロノスタート）する（ステップＳ３０５）。この場合、図示しない機械的機構がスタート／ストップボタンＳＴＢのスタート操作に応答してクロノグラフ針の規正を解除した後、制御回路１０４は前記スタート操作に応答してクロノカウンタ回路１０３が分周回路１０２からのクロノグラフ信号に基づいて時間計測動作を開始するように制御する。
【００２２】
制御回路１０４は、処理ステップＳ３０４においてクロノグラフ時計のそのときの状態が時間計測状態にある場合には、時間計測動作を停止（クロノストップ）する（ステップＳ３０６）。時間計測動作中にスタート／ストップボタンＳＴＢをストップ操作して時間計測動作を停止させた場合、制御回路１０４は前記ストップ操作に応答して時間計測動作を停止し、その時点での時間計測結果がアナログ表示部１１１で表示される。
このように、制御回路１０４は、スタート／ストップボタンＳＴＢが操作される毎に、時間計測動作の開始と時間計測動作の停止を切り替えるように制御する。
【００２３】
制御回路１０４は、処理ステップＳ３０１においてスタート／ストップボタンＳＴＢが操作されていないと判定した後、リセットボタンＲＢが操作されたと判定すると（ステップＳ３０２）、時間計測用カウンタをリセットすると共に、システムリセット回路１１２はクロノモータ駆動パルス発生回路１０８及びクロノモータドライバ回路１０９をリセットし（ステップＳ３０７、Ｓ３０８）、又、クロノカウンタ回路１０３をリセットする（ステップＳ３０９）。これにより、時間計測動作を行ってクロノグラフ針を駆動するための回路（クロノグラフ針駆動手段）はリセットされるが、計時動作を行って時刻針を駆動するための回路（時刻針駆動手段）はリセットされないため計時動作は継続して行うことができる。
【００２４】
このように、電池交換等の際にクロノグラフ針駆動手段を部分システムリセットする場合には、時間計測動作のリセットを行うリセットボタンＲＢを操作することによって行うことが可能であるため、時間計測動作に異常が生じた場合でも、ユーザにとって解りやすい操作で部分システムリセットを行うことができ、容易に正常動作に復帰させることが可能になる。
尚、ユーザが時間計測動作中にリセットボタンＲＢによってリセット操作を行った場合、制御回路１０４が前記リセット操作に応答してクロノグラフ針駆動手段をリセットした後、前記機械的機構がリセットボタンＲＢのリセット操作に応答してクロノグラフ針を帰零して規正することになる。
【００２５】
制御回路１０４が処理ステップＳ３０２においてリセットボタンＲＢは操作されていないと判定した後、竜頭ＲＺがリセット操作（本実施の形態では引き操作）されたと判定すると（ステップＳ３０３）、システムリセット回路１１２は時刻モータ駆動パルス発生回路１０５及び時刻モータドライバ回路１０６をリセットし（ステップＳ３１０、Ｓ３１１）、又、分周回路１０２の第２分周段部２０２をリセットする（ステップＳ３１２）。これにより、計時動作を行って時刻針を駆動するための回路（時刻針駆動手段）はリセットされる。
【００２６】
しかしながら、このときリセットされるのは第２分周段部２０２のみであって、第１分周段部２０１はリセットされないため、計時動作はリセットされるが、時間計測動作はリセットされない。したがって、クロノグラフ針駆動手段はリセットされないため、継続して時間計測動作を行うことが可能である。このように、電池交換等の際に時刻針駆動手段を部分システムリセットする場合、時刻合わせ等を行う竜頭を操作することによって行うことが可能であるため、ユーザにとって解りやすい操作で部分システムリセットを行うことができ、時刻針駆動手段を容易に正常動作に復帰させることが可能になる。
【００２７】
制御回路１０４は、処理ステップＳ３０３において竜頭ＲＺがリセット操作されていないと判定した場合は処理を終了する。
クロノグラフ時計全体のシステムリセットを行う場合には、システムリセット端子ＳＲに所定の信号を供給する（例えば、システムリセット端子ＳＲを所定電位（例えば電源電圧）にする）。制御回路１０４は、システムリセット端子ＳＲに所定信号が供給されたことを検出してクロノグラフ時計を構成する電気回路全体のステムリセットを行う。
【００２８】
以上述べたように、本実施の形態に係るクロノグラフ時計によれば、クロノグラフ針が機械的に帰零され電気的に駆動される形式のクロノグラフ時計において、竜頭のリセット操作に応答して時刻針駆動手段をリセットすると共に、操作手段のリセット操作に応答してクロノグラフ針駆動手段をリセットする制御手段を備えて成ることを特徴としている。
したがって、クロノグラフ時計における一般的な操作で電気的なリセットを行うことが可能であるため、ユーザにとって解りやすい操作でシステムリセットすることができ、容易に正常動作に復帰させることが可能になる。また、クロノグラフ時計を構成する電気的構成要素の部分システムリセットや全体のシステムリセットを行うことが可能になる。
尚、本実施の形態では、周波数の異なる時計信号とクロノグラフ信号を使用したが、クロノグラフ時計の仕様によっては、これらを同一の信号にしてもよい。
【産業上の利用可能性】
【００２９】
時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにした各種のクロノグラフ時計に適用可能である。
【符号の説明】
【００３０】
１０１・・・発振回路
１０２・・・分周回路
１０３・・・クロノカウンタ回路
１０４・・・制御回路
１０５・・・時刻モータ駆動パルス発生回路
１０６・・・時刻モータドライバ回路
１０７・・・時刻モータ
１０８・・・クロノモータ駆動パルス発生回路
１０９・・・クロノモータドライバ回路
１１０・・・クロノモータ
１１１・・・アナログ表示部
１１２・・・システムリセット回路
２０１・・・第１分周段部
２０２・・・第２分周段部
ＳＴＢ・・・スタート／ストップボタン
ＲＢ・・・リセットボタン
ＲＺ・・・竜頭
ＳＲ・・・システムリセット端子
【図１】
0005490519.tif 000002
【図２】
0005490519.tif 000003
【図３】
0005490519.tif 000004